(57)【要約】【課題】  車両、建造物等における蛍光灯に対して、広告等を迅速かつ効率的に、また安全に取り付け、取り外しができる蛍光灯用広告表示具を提供することを目的とする。  また、広告が表示されても照度が低下せず、明るい照明を維持できる蛍光灯用広告表示具を提供することを目的とする。【解決手段】  透光性を有し蛍光灯Ｆに被せられる筒状部材１０と、前記蛍光灯Ｆを保持しつつ前記筒状部材１０の両端に装着される蓋状部材２０と、前記筒状部材１０の周面１０１ｃに着脱自在であって広告等の情報３０１が表示され前記周面１０１ｃに沿って弾性で巻き付く広告部材３０とを備えることを特徴とする。【選択図】  図１
2005215181.tif 000002
【特許請求の範囲】
【請求項１】
透光性を有し蛍光灯に被せられる筒状部材と、前記蛍光灯を保持しつつ前記筒状部材の両端に装着される蓋状部材と、前記筒状部材の周面に着脱自在であって広告等の情報が表示され前記周面に沿って弾性で巻き付く広告部材とを備えてなる蛍光灯用広告表示具。
【請求項２】
請求項１記載の蛍光灯用広告表示具において、広告部材を筒状部材の周面に装着したときの前記筒状部材又は前記広告部材における広告等の情報と対向する部位に、蛍光灯の光を反射する反射部を設けたことを特徴とする蛍光灯用広告表示具。
【請求項３】
蛍光灯の周面に着脱自在に構成され、広告等の情報が表示されて前記周面に沿って弾性で巻き付く広告部材からなる蛍光灯用広告表示具。
【請求項４】
請求項３記載の蛍光灯用広告表示具において、広告部材を蛍光灯の周面に装着したときの前記広告部材における広告等の情報と対向する部位に、蛍光灯の光を反射する反射部を設けたことを特徴とする蛍光灯用広告表示具。
【請求項５】
透光性を有し蛍光灯に被せられる筒状部材と、前記蛍光灯を保持しつつ前記筒状部材の両端に装着される蓋状部材と、前記筒状部材に対し着脱自在であって多角柱状に形成され前記多角柱の側面に広告等の情報が表示された広告部材とを備えてなる蛍光灯用広告表示具。
【請求項６】
蛍光灯に対し着脱自在に構成され、多角柱状に形成されて前記多角柱の側面に広告等の情報が表示された広告部材からなる蛍光灯用広告表示具。
【請求項７】
請求項１〜６のいずれか記載の蛍光灯用広告表示具において、広告部材が、導光性の樹脂材料から構成されることを特徴とする蛍光灯用広告表示具。
【請求項８】
透光性を有し蛍光灯に被せられる筒状部材と、前記蛍光灯を保持しつつ前記筒状部材の両端に装着される蓋状部材と、前記筒状部材の周面に着脱自在であって、広告等の情報が表示される表示板、及び前記表示板に設けられ前記周面に取り付けられるバネ部から構成される広告部材とを備えてなる蛍光灯用広告表示具。
【請求項９】
蛍光灯の周面に着脱自在に構成され、広告等の情報が表示される表示板と、前記表示板に設けられ前記周面に取り付けられるバネ部とを備えた広告部材からなる蛍光灯用広告表示具。
【請求項１０】
請求項８又は９記載の蛍光灯用広告表示具において、表示板が、導光性の樹脂材料から構成されることを特徴とする蛍光灯用広告表示具。
【請求項１１】
請求項１〜１０のいずれか記載の蛍光灯用広告表示具において、広告部材に、広告等の情報を拡大するフレネルレンズ部を形成したことを特徴とする蛍光灯用広告表示具。
【請求項１２】
請求項１〜１０のいずれか記載の蛍光灯用広告表示具において、広告部材に、照度を向上させるプリズム部を形成したことを特徴とする蛍光灯用広告表示具。
【請求項１３】
請求項１〜１２のいずれか記載の蛍光灯用広告表示具において、広告等の情報とともに、又は広告等の情報に代えて蓄光性素材からなる表示が設けられることを特徴とする蛍光灯用広告表示具。
【発明の詳細な説明】
【技術分野】
【０００１】
本発明は、蛍光灯用広告表示具に関する。さらに詳しくは、蛍光灯に取り付けられ、外部から広告等の情報を視認できる蛍光灯用広告表示具の技術分野に属する。
【背景技術】
【０００２】
従来、車内や建造物内では、利用客の視界に入る様々な位置に広告が表示されている。例えば、電車・バス等においては、天井からつり下げられた中吊り広告、壁面広告等が主流である。
本発明者は、より広告効果を高めるために、明るく目に付き易い蛍光灯を利用することについて検討してきた。
【０００３】
蛍光灯を広告に利用する従来技術として、（特許文献１）には、蛍光灯に外嵌され、紫外線遮断物質が塗布されたチューブと、チューブの両端部に嵌合されるホルダーとを備え、チューブには蛍光灯から発散する光によって印刷されている内容を投射する広告用シルク印刷部を備えたことを特徴とする蛍光灯の広告装置が記載されている。
【０００４】
しかし、上記の（特許文献１）は、チューブに対して直接にシルク印刷しているため、広告内容が変更される場合にはチューブ自体を新しいものに取り替える必要があり、その際には、蛍光灯を一旦ソケットから取り外し、蛍光灯に新しいチューブをはめ直し、ホルダーで固定してから再び蛍光灯をソケットに設置しなければならない。
しかし、車内広告の場合、一般的な広告期間は約３ヶ月と短い。そのため、交換の度に上記作業を繰り返すのは効率が悪く、付近の人々の邪魔にもなり、また頻繁に蛍光灯を取り外すことによって蛍光灯の落下飛散事故を誘発する恐れもあった。また、電車車両等が使用されない時間を見計らって作業を行う方法も合理的とは言えず実施は困難であった。
【０００５】
さらに、広告の表示される範囲が広く、あるいは広告の色が濃色である場合には、広告を透過する蛍光灯の光量が減少し、その結果付近の照度が低下する恐れもあった。
【０００６】
【特許文献１】特開平１１−１８５５１８号公報（請求項１、３）
【発明の開示】
【発明が解決しようとする課題】
【０００７】
そこで本発明は、上記従来の状況に鑑み、車両、建造物等における蛍光灯に対して、広告等を迅速かつ効率的に、また安全に取り付け、取り外しができる蛍光灯用広告表示具を提供することを目的とする。
また、広告が表示されても照度が低下せず、明るい照明を維持できる蛍光灯用広告表示具を提供することを目的とする。
【課題を解決するための手段】
【０００８】
上記課題を解決するため、本発明の蛍光灯用広告表示具は、請求項１として、透光性を有し蛍光灯に被せられる筒状部材と、前記蛍光灯を保持しつつ前記筒状部材の両端に装着される蓋状部材と、前記筒状部材の周面に着脱自在であって広告等の情報が表示され前記周面に沿って弾性で巻き付く広告部材とを備えることを特徴とする。
【０００９】
上記構成によれば、蛍光灯が筒状部材で保護されるとともに、広告部材が弾性力で保持され、種々の広告等の情報が視認される。
【００１０】
また、請求項２は、請求項１記載の蛍光灯用広告表示具において、広告部材を筒状部材の周面に装着したときの前記筒状部材又は前記広告部材における広告等の情報と対向する部位に、蛍光灯の光を反射する反射部を設けたことを特徴とする。
【００１１】
上記構成によれば、蛍光灯からの光が反射部で反射し、広告等が表示された面側に出射される。そのため、広告等による光量低下を補い、照度が維持される。
【００１２】
また、請求項３は、蛍光灯の周面に着脱自在に構成され、広告等の情報が表示されて前記周面に沿って弾性で巻き付く広告部材からなる蛍光灯用広告表示具である。
【００１３】
上記構成によれば、広告部材が、筒状部材等を介さずに、蛍光灯に直接取り付けられる。
【００１４】
また、請求項４は、請求項３記載の蛍光灯用広告表示具において、広告部材を蛍光灯の周面に装着したときの前記広告部材における広告等の情報と対向する部位に、蛍光灯の光を反射する反射部を設けたことを特徴とする。
【００１５】
上記構成によれば、請求項２と同様に、蛍光灯からの光が反射部で反射し、広告等が表示された面側に出射される。
【００１６】
また、請求項５は、透光性を有し蛍光灯に被せられる筒状部材と、前記蛍光灯を保持しつつ前記筒状部材の両端に装着される蓋状部材と、前記筒状部材に対し着脱自在であって多角柱状に形成され前記多角柱の側面に広告等の情報が表示された広告部材とを備えてなる蛍光灯用広告表示具である。
【００１７】
上記構成によれば、多角柱の側面に広告等が表示されることにより、広い表示面積が確保される。
【００１８】
また、請求項６は、蛍光灯に対し着脱自在に構成され、多角柱状に形成されて前記多角柱の側面に広告等の情報が表示された広告部材からなる蛍光灯用広告表示具である。
【００１９】
上記構成によれば、筒状部材等を介さず、蛍光灯に対し直接に取り付け可能な多角柱状の広告部材が提供される。
【００２０】
また、請求項７は、請求項１〜６のいずれか記載の蛍光灯用広告表示具において、広告部材が、導光性の樹脂材料から構成されることを特徴とする。
【００２１】
上記構成によれば、蛍光灯の光が導光性の樹脂材料によって散乱され、均一に発光して広告等の視認性が向上する。
【００２２】
また、請求項８は、透光性を有し蛍光灯に被せられる筒状部材と、前記蛍光灯を保持しつつ前記筒状部材の両端に装着される蓋状部材と、前記筒状部材の周面に着脱自在であって、広告等の情報が表示される表示板、及び前記表示板に設けられ前記周面に取り付けられるバネ部から構成される広告部材とを備えてなる蛍光灯用広告表示具である。
【００２３】
上記構成によれば、筒状部材により蛍光灯が保護されるとともに、広告等が表示された板がバネ部を介して筒状部材の周面に対し容易に装着される。また、広い面積の表示面が確保される。
【００２４】
また、請求項９は、蛍光灯の周面に着脱自在に構成され、広告等の情報が表示される表示板と、前記表示板に設けられ前記周面に取り付けられるバネ部とを備えた広告部材からなる蛍光灯用広告表示具である。
【００２５】
上記構成によれば、バネ部及び表示板から構成され、蛍光灯に直接取り付け可能な広告部材が提供される。
【００２６】
また、請求項１０は、請求項８又は９記載の蛍光灯用広告表示具において、表示板が、導光性の樹脂材料から構成されることを特徴とする。
【００２７】
上記構成によれば、請求項７と同様に、蛍光灯の光が導光性の樹脂材料によって散乱され、均一に発光して広告等の視認性が向上する。
【００２８】
また、請求項１１は、請求項１〜１０のいずれか記載の蛍光灯用広告表示具において、広告部材に、広告等の情報を拡大するフレネルレンズ部を形成したことを特徴とする。
【００２９】
上記構成によれば、フレネルレンズ部によって広告等が拡大され、視認性が向上する。
【００３０】
また、請求項１２は、請求項１〜１０のいずれか記載の蛍光灯用広告表示具において、広告部材に、照度を向上させるプリズム部を形成したことを特徴とする。
【００３１】
上記構成によれば、プリズム部によって蛍光灯からの光が集光され、広告等の表示面が明るくなる。
【００３２】
さらに、請求項１３は、請求項１〜１２のいずれか記載の蛍光灯用広告表示具において、広告等の情報とともに、又は広告等の情報に代えて蓄光性素材からなる表示が設けられることを特徴とする。
【００３３】
上記構成によれば、蛍光灯が消灯した際に、蓄光性素材が発光し、種々の情報が表示される。
【発明の効果】
【００３４】
本発明によれば、例えば、弾性で巻き付く広告部材を備えたため、短い広告期間に対応して、迅速かつ効率的に広告の交換をすることが可能となる。また、広告部材の取り付け・取り外しを、蛍光灯に筒状部材及び蓋状部材を装着した状態で行うことにより、蛍光灯の落下飛散等を防止でき、より安全に作業することができる。
さらに、反射部やフレネルレンズ部、プリズム部等を設けたことにより、広告等が表示されても付近の照度が低下せず、明るい照明を維持でき、広告等の視認性も良好に保つことができる。
【発明を実施するための最良の形態】
【００３５】
以下、本発明を詳細に説明する。
まず、本発明の実施の形態（１）について、図１〜３に基づき説明する。図１は、実施の形態（１）に係る蛍光灯用広告表示具１Ａ（以下、広告表示具という）を蛍光灯Ｆに取り付ける前の状態を表している。図１に示すように、広告表示具１Ａは、蛍光灯Ｆに被せられる筒状部材１０と、蛍光灯Ｆを保持しつつ筒状部材１０の両端に装着される蓋状部材２０と、筒状部材１０の周面１０１ｃに着脱自在であって広告等の情報３０１が表示された広告部材３０とを備えて概略構成されている。
【００３６】
まず、筒状部材１０は、対の開口部１０１ａ、１０１ｂを有する円筒形に形成されている。長さは蛍光灯Ｆのガラス管Ｆ１と略々同長あるいは僅かに長く、また、内径がガラス管Ｆ１の外周より僅かに大きくなるように形成されている。
【００３７】
筒状部材１０の素材は、ポリカーボネート等の合成樹脂からなり、外部から衝撃が加わっても容易には変形せず、破れない程度の保形性を有する。筒状部材１０の厚さは、素材によっても異なるが、少なくともガラス管の破片や外的衝撃等で破損しない程度の厚みを必要とし、具体的には０．２〜１．５ｍｍの範囲、好ましくは０．３〜０．７ｍｍである。また、光源としての機能を損なわない程度に透光性を有しており、一般的には無色透明であるが、必要に応じて着色されていても構わない。
【００３８】
また、筒状部材１０には、必要に応じて、ベンゾフェノン系、ベンゾトリアゾール系、あるいはシアノアクリレート系の紫外線防止剤を含有させることができる。これによって蛍光灯Ｆから放射される紫外線の大部分をカットすることができ、広告等の情報３０１が褪色するのを防止することができる。
【００３９】
蓋状部材２０は、内側開口部２０１、及び外側開口部２０２を有する円筒状に形成され、その直径及び長さは、蛍光灯Ｆの口金Ｆ２を覆う程度となっている。蛍光灯Ｆに装着した状態では、内側開口部２０１に筒状部材１０及び蛍光灯Ｆが挿入され、外側開口部２０２からは蛍光灯Ｆの端子が露出するように構成される。
【００４０】
蓋状部材２０は弾性体で構成することが望ましい。特に、シリコーンゴム等の合成ゴム、天然ゴム、あるいはその他の合成樹脂が好ましく用いられ、硬さとしては、針入度４０程度のものが適している。蓋状部材２０を弾性体で形成することにより、筒状部材１０に対する装着が容易であり、密着性が得られるとともに、多少の寸法差を吸収して取り付けることができる。
【００４１】
蛍光灯Ｆに対し、上記の筒状部材１０、及び蓋状部材２０を装着する際には、まず筒状部材１０を蛍光灯Ｆのガラス管Ｆ１に被せ、口金Ｆ２の部分を蓋状部材２０の外側開口部２０２から露出させつつ、内側開口部２０１に筒状部材１０を挿入することで行うことができる。その際、図１に示すように、蓋状部材２０の内側に内部片２０３を設け、内側開口部２０１の内面と内部片２０３との間に溝を形成することにより、その溝に沿って筒状部材１０を押し込み、内部片２０３より内側に口金Ｆ２を挿入して外側開口部２０２から露出させることで、図３に示すように、筒状部材１０の中心に蛍光灯Ｆのガラス管Ｆ１を空隙Ｓを介して同心円状に保持することができる。
【００４２】
広告部材３０は、ポリカーボネート等の樹脂からなる基材３００上に、広告等の情報３０１が表示されて構成されている。基材３００は、図１に示すように、Ｃ字状に形成され、筒状部材１０に取り付ける際には、弾性力に抗ってＣ字の状態から開き（３０’の状態）、筒状部材１０の周面１０１ｃに沿って巻き付けることで図２に示すように装着することができる。また、基材３００は、上記の筒状部材１０と同様に透光性を有することが好ましい。なお、Ｃ字状の基材３００は、例えば、最初に筒状の樹脂パイプを成形し、その周面を軸方向に切断することで得ることができる。また、図１の例では、装着する前の基材３００は周方向の端部が互いに重なり合って閉じた状態であるが、開いた状態でも良いことは無論である。
【００４３】
広告等の情報３０１は、基材３００上に表示されるが、その際には適宜方法により行うことができる。具体的には、基材３００上に広告等の情報３０１を印刷（スクリーン印刷等）する方法、広告等の情報３０１が描かれたラベルを基材３００に貼着する方法、マーキングフィルムによる方法等を挙げることができる。
また、広告等の情報３０１の種類は、特に限定されるものではなく、文字や模様、図形等から構成され、具体的には商品、会社等の広告、キャラクターの図柄、案内情報、注意書き等が含まれる。
【００４４】
また、広告部材３０には、必要に応じて、蓄光性素材の表示３０２を設けることができる。蓄光性素材は、蛍光灯の光や太陽光の紫外光エネルギーを蓄えることにより、夜間や暗所中で長時間残光を示す物質である。これを広告部材３０の機材３００上に設けることで、例えば事故や火事等で蛍光灯Ｆが消灯し、周囲が暗くなるような緊急時に、蓄光性素材の表示３０２が発光し、図１に示すように避難経路を明示する等して安全性を確保することができる。
【００４５】
蓄光性素材としては、代表的な物質として酸化ストロンチウムと酸化アルミニウムからなる化合物に希土類元素のユウロピウム（Eu）とジスプロシウム（Dy）を添加した酸化物蓄光体等が知られているが、これに限定されるものではなく、種々の物質を適宜選択して用いることができる。また、蓄光性素材の表示３０２を設けるに当たっては、蓄光性素材を広告部材３０の基材３００上に印刷、塗布したり、あるいは蓄光性素材が設けられた粘着シートを基材３００上に貼着する方法等を適宜採用して行うことができる。
なお、図１の例では、蓄光性素材の表示３０２を、広告等の情報３０１と併用して設けているが、別の例として、蓄光性素材の表示３０２のみを設けたり、あるいは広告等の情報自体を蓄光性素材で構成しても良い。
【００４６】
また、必要に応じて、基材３００を導光性の樹脂材料で構成することができる。具体的には、アクリル等の樹脂の下面に、白色拡散ドットを印刷したもの等を用いることができる。これにより、蛍光灯Ｆからの光を均一な面発光に変換できるため、広告等の情報３０１の視認性が向上し好ましい。特に商品等の広告の場合には色合いが均一であることが重要であり、導光性の樹脂材料が好適に採用される。
【００４７】
この実施の形態（１）では、広告部材３０を着脱するだけで、短い広告期間に対応して、迅速かつ効率的に広告の交換をすることが可能となる。また、蛍光灯Ｆには筒状部材１０及び蓋状部材２０が装着されて保護されているので、広告部材３０の取り付け・取り外しする際に、蛍光灯Ｆの落下飛散等を防止でき、より安全に作業することができる。
【００４８】
なお、上記の例では、広告等の情報３０１を基材３００の上に表示させたが、これに限らず、例えば広告等が印刷されたシートを、筒状部材１０と基材３００との間に挟みこむように保持しても良い。また、図１の広告部材３０は、筒状部材１０と同程度の長さに形成されているが、より短く形成して、筒状部材１０の一部に巻き付けることも可能である。
【００４９】
次に、本発明の実施の形態（２）を図４に示す。図４は、広告表示具１Ｂを蛍光灯Ｆに取り付けた状態での断面を示している。広告表示具１Ｂは、上記実施の形態（１）と同様に、筒状部材１０と、蓋状部材２０（図示せず）と、広告等の情報３０１が表示された広告部材３０とから概略構成されている。
そして、この実施の形態（２）では、広告部材３０の、広告等の情報３０１と対向する部位に、蛍光灯Ｆの光を反射する反射部３０３を設けている。これにより、蛍光灯Ｆからの光が広告等の情報３０１側に反射され、前面の照度を高めるので、広告等の視認性をより向上させることができる。また、広告等の情報３０１が濃色であるような場合に、透過する光量が若干低下することがあるが、そのような場合にも反射部３０３によって前面の光量を補い、照度低下を最小限に抑えることができる。
【００５０】
反射部３０３は、例えば、ベースフィルムの一方の面に金属蒸着層を形成した上で、そのベースフィルム（ミラー状のフィルムとなる）を広告部材３０の基材３００の内側に貼着することによって形成することができる。あるいは、基材３００の内側に金属蒸着を直接施しても良い。蒸着する金属は、鏡面を形成し得る種々の金属が適用可能であり、具体的には、アルミニウム、銅、スズ、金、銀等が挙げられる。中でも、アルミニウムは、安価であること、色調に変化を来さない反射光を与えること等から好ましく用いられる。金属蒸着層の厚さは、必要に応じて適宜設定することができるが、一般に５〜８０ｎｍが適当である。
【００５１】
なお、図４では、反射部３０３を、広告等の情報３０１と対向する部位に半周状に設けているが、このようにすると、場合によっては蛍光灯Ｆの光が反射部３０３によって妨げられ、蛍光灯Ｆの背面側が逆に暗くなって全体の照度が低下することがある。そのようなときには、反射部３０３の一部（例えば、蛍光灯Ｆの最背面に当たる部位）を除去し、最背面には光が抜けるように構成しても良い。その場合、反射部３０３は縞状に形成される。
また、図４では、反射部３０３を、広告部材３０の基材３００に設けているが、別の例として筒状部材１０に設けることもできる。その際には、筒状部材１０の周面にミラー状フィルムを貼着する方法や、周面に金属蒸着層を直接形成する方法等を適宜採用することができる。
実施の形態（２）におけるその他の構成については上記実施の形態（１）に準ずる。
【００５２】
続いて、本発明の実施の形態（３）を図５に示す。図５の広告表示具１Ｃは、上記実施の形態（１）（２）と同様に、筒状部材１０の周面に着脱自在であって弾性で巻き付く広告部材３０を備えている。そして広告部材３０は、基材３００上に広告等の情報３０１が表示され、さらにその表面にフレネルレンズ部３０４が形成されている。これにより、フレネルレンズ部３０４が広告等の情報３０１を拡大させるので、外部からの視認性を大幅に向上させることができる。
【００５３】
フレネルレンズ部３０４は、一般には、アクリル樹脂、ポリカーボネート、ポリスチレン等の樹脂からなるフレネルレンズシートを、広告等の情報３０１の上に被覆することで形成される。なお、図５では、便宜上、フレネルレンズ部３０４が広告等の情報３０１を介して基材３００から浮いているように描いているが、実際には、広告等の情報３０１の厚さは印刷等による場合には僅かであり、フレネルレンズ部３０４はより厚く、基材３００に密着している。
その他の構成については、上記実施の形態（１）に準ずる。
【００５４】
次に、本発明の実施の形態（４）を図６に示す。図６の広告表示具１Ｄにおける広告部材３０は、基材３００上に広告等の情報３０１が表示され、基材３００の他方の面にはプリズム部３０５が形成されている。プリズム部３０５が、蛍光灯Ｆから出射される光を集光し、広告等の情報３０１側を均一に照らすので、視認性を向上させることができる。
【００５５】
プリズム部３０５は、一般には、樹脂からなるプリズムシートを基材３００と積層させて形成する。なお、プリズム部３０５は、図６のように基材３００と筒状部材１０の間ではなく、基材３００と広告等の情報３０１の間に形成することもできる。また、基材３００を筒状部材１０の周面に巻き付ける際に、筒状部材１０との間に挟み込んでも良い。
その他の構成については、上記実施の形態（１）に準ずる。また、プリズム部３０５と、上記実施の形態（２）（３）における反射部３０３、フレネルレンズ部３０４とは、必要に応じて併用することができる。
【００５６】
続いて、本発明の実施の形態（５）を図７に示す。図７の広告表示具１Ｅは、上記実施の形態（１）〜（４）とは異なり、筒状部材及び蓋状部材を用いず、広告部材３０単独から構成した例である。広告部材３０は、基材３００上に広告等の情報３０１が表示されており、蛍光灯Ｆの周面１０１ｃに弾性で巻き付けて使用する。この例では、上述の筒状部材及び蓋状部材を用いる場合に比べると、蛍光灯Ｆを保護する効果は若干低下するが、広告部材３０を付け替えるだけで短い広告期間に迅速に対応でき、効率的に広告の交換を行うことができる。
【００５７】
次に、本発明の実施の形態（６）を図８及び図９に示す。図８は、広告表示具１Ｆを蛍光灯Ｆに取り付けた状態を示している。広告表示具１Ｆは、上記実施の形態（１）と同様に筒状部材１０、及び蓋状部材２０を備えており、さらに、多角柱状に形成された広告部材３０を備えている。この多角柱状の広告部材３０は、図９に示すように、例えば樹脂からなる基材３００を三角形状に折り曲げた形状に成形されており、１つの角部が開口している。そして、その開口された角部から筒状部材１０をはめ込むことで、広告部材３０が着脱自在に構成され、筒状部材１０は広告部材３０の内側に弾性的に保持されている。
【００５８】
そして、図８に示すように、基材３００の面上には広告等の情報３０１が表示されている。広告部材３０を多角柱状とすることで、広告等の表示面を平坦に構成でき、かつ表示面積を広くできるため、広告等のバリエーションが拡がり、視認性もより向上させることができる。
その他の構成については、上記実施の形態（１）に準ずる。また、図９のような三角形状に限らず、五角形等の他の形状にできることは無論である。五角形状にすると広告等の表示面が複数できるので、いろんな角度から視認し易く便利である。
【００５９】
なお、図８の例では、蛍光灯Ｆに筒状部材１０及び蓋状部材２０を装着し、その筒状部材１０の周面１０１ｃに広告部材３０を取り付けていたが、別の例として、広告部材３０を蛍光灯Ｆに直接装着しても良い。この場合は、蛍光灯Ｆを保護する効果は若干低下するが、広告等を迅速かつ効率的に交換することができる。
【００６０】
次に、本発明の実施の形態（７）について図１０及び図１１に基づき説明する。図１０の広告表示具１Ｇは、上記実施の形態（１）等と同様に、蛍光灯Ｆに被せられる筒状部材１０と、蛍光灯Ｆを保持しつつ筒状部材１０の両端に装着される蓋状部材２０とを備えている。そして、筒状部材１０の周面１０１ｃには、広告部材３０が着脱自在に設けられている。
【００６１】
広告部材３０は、広告等の情報３０１が表示された表示板３０６と、その表示板３０６と一体に設けられるバネ部３０７とから構成されている。表示板は、ポリカーボネート、アクリル等の樹脂板から構成され、厚さは上述の筒状部材１０と同程度であり、具体的には０．２〜５ｍｍ程度が適当である。また、バネ部３０７は、筒状部材１０の周面１０１ｃに沿って取り付け、弾性的に保持されるものであり、一般には金属や樹脂等から構成されている。なお、バネ部３０７と表示板３０６とは、接着したり螺着する等の適宜手段により接続されている。
【００６２】
この実施の形態（７）では、表示板３０６の面上に広告等の情報３０１が表示されるので、上記実施の形態（６）と同様に、表示面が平坦でかつ面積を広くとることができ、広告等の視認性をより向上させることができる。
なお、表示板は、上述の筒状部材１０と同様に、導光性の樹脂材料から構成することによって均一な面発光とすることができる。
その他、表示板３０６には、フレネルレンズ部やプリズム部を形成することができ、それぞれの構成については上述の各実施の形態に準ずる。
【００６３】
また、図１０の例では、蛍光灯Ｆに筒状部材１０及び蓋状部材２０を装着し、その筒状部材１０の周面１０１ｃに対して、表示板３０６及びバネ部３０７からなる広告部材３０を取り付けていたが、別の例として、広告部材３０を蛍光灯Ｆに直接装着することもできる。
【図面の簡単な説明】
【００６４】
【図１】実施の形態（１）に係る蛍光灯用広告表示具の各要素を示した斜視図である。
【図２】実施の形態（１）に係る蛍光灯用広告表示具を蛍光灯に取り付けた状態を示す斜視図である。
【図３】図２のＡ−Ａ断面図である。
【図４】実施の形態（２）に係る蛍光灯用広告表示具を蛍光灯に取り付けた状態を示す断面図である。
【図５】実施の形態（３）に係る蛍光灯用広告表示具を蛍光灯に取り付けた状態を示す断面図である。
【図６】実施の形態（４）に係る蛍光灯用広告表示具を蛍光灯に取り付けた状態を示す断面図である。
【図７】実施の形態（５）に係る蛍光灯用広告表示具を蛍光灯に取り付けた状態を示す斜視図である。
【図８】実施の形態（６）に係る蛍光灯用広告表示具を蛍光灯に取り付けた状態を示す斜視図である。
【図９】図８のＢ−Ｂ断面図である。
【図１０】実施の形態（７）に係る蛍光灯用広告表示具を蛍光灯に取り付けた状態を示す斜視図である。
【図１１】図１０のＣ−Ｃ断面図である。
【符号の説明】
【００６５】
１Ａ〜１Ｇ  広告表示具
１０        筒状部材
１０１ａ、１０１ｂ    開口部
１０１ｃ    周面
２０        蓋状部材
２０１      内側開口部
２０２      外側開口部
２０３      内部片
３０        広告部材
３００      基材
３０１      広告等の情報
３０２      蓄光性素材の表示
３０３      反射部
３０４      フレネルレンズ部
３０５      プリズム部
３０６      表示板
３０７      バネ部
Ｆ          蛍光灯
Ｆ１        ガラス管
Ｆ２        口金
Ｓ          空隙
【図１】
2005215181.tif 000003
【図２】
2005215181.tif 000004
【図３】
2005215181.tif 000005
【図４】
2005215181.tif 000006
【図５】
2005215181.tif 000007
【図６】
2005215181.tif 000008
【図７】
2005215181.tif 000009
【図８】
2005215181.tif 000010
【図９】
2005215181.tif 000011
【図１０】
2005215181.tif 000012
【図１１】
2005215181.tif 000013